(57)【要約】      （修正有）【課題】遠方視が明瞭であり、処方が容易であり、なおかつ遠方視から近方視まで明瞭に見ることができる老視用コンタクトレンズを提供する。【解決手段】レンズ中心付近に遠方部が、該遠方部の外周に該遠方部と同心円状に移行部が配された老視用コンタクトレンズであって、該遠方部の直径が２〜４ｍｍであり、該遠方部の度数と該移行部のレンズ中心から２．５ｍｍの位置における度数の差が０．３Ｄ以上であり、該遠方部および該移行部の角膜に接する側の形状が球面、該遠方部の瞼側の形状が球面、かつ該移行部の瞼側の形状が非球面であり、該遠方部と該移行部の境界において度数が連続に変化し、かつ移行部の度数変化率の最大値が６Ｄ／ｍｍ以下である。【選択図】図１
2010224091.tif 000002
【特許請求の範囲】
【請求項１】
レンズ中心付近に遠方部が、該遠方部の外周に該遠方部と同心円状に移行部が配された老視用コンタクトレンズであって、該遠方部の直径が２〜４ｍｍであり、該遠方部の度数と該移行部のレンズ中心から２．５ｍｍの位置における度数の差が０．３Ｄ以上であり、該遠方部および該移行部の角膜に接する側の形状が球面、該遠方部の瞼側の形状が球面、かつ該移行部の瞼側の形状が非球面であり、該遠方部と該移行部の境界において度数が連続に変化し、かつ移行部の度数変化率の最大値が６Ｄ／ｍｍ以下であることを特徴とする老視用コンタクトレンズ。
【請求項２】
前記移行部の瞼側の形状が下記式（１）で表され、下記式（１）中の非球面係数Ａが０．０００５〜０．００５８の範囲内であることを特徴とする請求項１に記載の老視用コンタクトレンズ。
【数１】
2010224091.tif 000007
（ここで、ｒは曲率半径（ｍｍ）、Ａは非球面係数、ｘ、ｙは瞼側表面の座標（ｍｍ）である。）
【発明の詳細な説明】
【技術分野】
【０００１】
本発明は、老視用コンタクトレンズに関する。
【背景技術】
【０００２】
従来、老視矯正用に様々な種類な老視用コンタクトレンズが提案されてきた。老視用コンタクトレンズは、視力調整能力が衰えた患者の視力矯正用として、１枚のレンズに複数の度数が存在する。老視用コンタクトレンズは、遠用領域と近用領域の映像を一度に得て装用者の脳が必要な情報を取捨選択する同時視型レンズと、レンズ上を視軸を移動させ所望の映像を得る視軸移動型レンズに分けられる。
【０００３】
同時視型マルチフォーカルコンタクトレンズとして、特許文献１に非球面にて形成される老視用コンタクトレンズが提案されているが、遠方部の度数が変化することから遠方視が不明瞭となる問題があった。また、特許文献１記載のレンズは同時視型レンズであるため、視軸移動型レンズに比較すると遠方視が不明瞭像となる。また、老視用コンタクトレンズは遠方視を基準として患者に処方するため、遠方視力が不明瞭だと処方が難しくなるという問題も生じる。また、特許文献１のように、レンズ内の広い領域で度数が連続的に変化するコンタクトレンズでは、所望の場所を見る際に情報量が少なく注視したい場所が明瞭に見えないという問題も生じる。さらに、特許文献１では光線追跡法により曲率を算出してマルチフォーカルレンズを製造する方法が提案されているが、所望の度数変化を付与するために高精度で高価な旋盤加工機が必要になってしまい、老視用コンタクトレンズが高価なものとなるという問題があった。
【０００４】
視軸移動型レンズとしては遠用部と近用部を区別し、遠用部と近用部とで曲率が不連続に変化させた２焦点コンタクトレンズが提案されている（特許文献２）。このような２焦点コンタクトレンズは、レンズ形状を規定することで、瞬目後の視力が安定するという利点はあるが、所望の映像を注視するため視軸を移動させる際に像がジャンプする問題は解決されていなかった。また、遠用部と近用部の曲率差により、角膜へのフィッティングを見る際、変曲点が尖って見えフィッティング異常として検出されることがあった。
【０００５】
以上のことから、コンタクトレンズにおいて、処方が容易で遠方から近方までが明瞭に見える老視用コンタクトレンズはこれまで存在しなかった。
【先行技術文献】
【特許文献】
【０００６】
【特許文献１】特許３１７１６２９号公報
【特許文献２】特開２００５−２０２１０７号公報
【発明の概要】
【発明が解決しようとする課題】
【０００７】
本発明は、遠方視が明瞭であり、処方が容易であり、なおかつ遠方視から近方視まで明瞭に見ることができる老視用コンタクトレンズを提供する。
【課題を解決するための手段】
【０００８】
上記課題を解決するため、本発明の老視用コンタクトレンズは、レンズ中心付近に遠方部が、該遠方部の外周に該遠方部と同心円状に移行部が配された老視用コンタクトレンズであって、該遠方部の直径が２〜４ｍｍであり、該遠方部の度数と該移行部のレンズ中心から２．５ｍｍの位置における度数の差が０．３Ｄ以上であり、該遠方部および該移行部の角膜に接する側の形状が球面、該遠方部の瞼側の形状が球面、かつ該移行部の瞼側の形状が非球面であり、該遠方部と移行部の境界において度数が連続に変化し、なおかつ移行部の度数変化率の最大値を６Ｄ／ｍｍ以下とする。
【発明の効果】
【０００９】
本発明の老視用コンタクトレンズは、遠方視が明瞭であり処方が容易となり、なおかつ遠方視から近方視まで明瞭に見ることができるさらに近方〜中間領域まで非球面方程式を用いることで、視軸移動時の遠方から近方まで広範囲にわたって明瞭な視界が得ることができる。
【図面の簡単な説明】
【００１０】
【図１】本発明の老視用コンタクトレンズの正面図である。
【図２】本発明の老視用コンタクトレンズの径方向断面図である。
【図３】実施例１で得られたコンタクトレンズの度数分布である。
【図４】実施例２で得られたコンタクトレンズの度数分布である。
【図５】実施例３で得られたコンタクトレンズの度数分布である。
【図６】比較例１で得られたコンタクトレンズの度数分布である。
【図７】比較例２で得られたコンタクトレンズの度数分布である。
【発明を実施するための形態】
【００１１】
本発明を明らかにするため、図面を参照しつつ説明する。
【００１２】
本発明の老視用コンタクトレンズは、図１に示すようにレンズ中心Ｏ付近に遠方部１が、遠方部１の外周に遠方部１と同心円状に移行部２が配された老視用コンタクトレンズであって、該遠方部１の径が２〜４ｍｍであり、該遠方部の度数と該移行部のレンズ中心から２．５ｍｍの位置における度数の差が０．３Ｄ以上であり、該遠方部１および該移行部２の角膜に接する側の形状が球面、該遠方部１の瞼側の形状が球面、かつ該移行部２の瞼側の形状が非球面で構成され、該遠方部１から移行部２まで度数が連続に変化し、移行部２の度数変化率の最大値が６Ｄ／ｍｍ以下であることを特徴とする老視用コンタクトレンズである。
【００１３】
コンタクトレンズを通して映像を明瞭に見るには度数分布が均一であることが必要である。ここで均一であるとは、度数変化率が０．３Ｄ／ｍｍ以下であることを言う。本発明の老視用コンタクトレンズは、図２に示すように光学部の角膜側の面７の形状が球面、遠方部の瞼側の面４の形状が球面であるため、遠方部１の度数分布は一定となるため、遠方部１を用いて遠方を見た場合に明瞭な遠方視が得られる。また、通常、老視用コンタクトレンズ処方時は遠方視力を基準視力として合わせて近方の見え方に応じて加入度数を調整することになるため、遠方部１の度数が均一である本発明の老視用コンタクトレンズは処方が容易であるという長所を有する。
【００１４】
また、遠方部１および移行部２から構成される光学部の角膜側の面７の形状が球面であるため、複雑な制御・加工装置を用いずに安定した連続加工ができる。
【００１５】
本発明の老視用コンタクトレンズは遠方部１の直径が２〜４ｍｍであることが必要である。人の瞳孔の大きさは、明所で２ｍｍ、暗所で４ｍｍ程度であり、特に野外など遠方を見る機会が多い明所にて、遠方を明瞭に見るためには２ｍｍ以上の遠方部径が必要である。また、遠方部の直径が４ｍｍ以上になると移行部の面積が小さくなるため、視軸を移動しても近方が見えにくくなってしまい、老視用コンタクトレンズとして使用できなくなる。従って、遠方部１の直径を２〜４ｍｍの範囲内とすることによって、安定した遠方視が得られるとともに、視軸を移動することによって安定した近方視を得ることができる。
【００１６】
また、本発明の老視用コンタクトレンズにおける、遠方部の度数と移行部のレンズ中心から２．５ｍｍの位置における度数の差が０．３Ｄ以上であることが必要である。遠方部の度数は中心から１ｍｍ以内の範囲度数の平均値を用い、移行部であるレンズ中心から２．５ｍｍの位置における度数との差を求める。両者の差を０．３Ｄ以上とすることによって、人の目により遠近の差として認知可能となるため、老視用コンタクトレンズとして用いることができる。
【００１７】
また、本発明の老視用コンタクトレンズの遠方部１と移行部２は図１に示すように同心円状であることが必要である。同心円状とすることでコンタクトレンズが眼球上で回転しても使用することができる。
【００１８】
また、本発明の老視用コンタクトレンズの移行部の瞼側の面５の形状が非球面であることが必要である。非球面とすることによって、移行部内で滑らかな度数変化を設定することができる。
【００１９】
移行部の度数変化率の最大値は６Ｄ／ｍｍ以下である必要があり、移行部における度数変化率を６Ｄ／ｍｍ以下とすることによって、人の目が視軸移動時や瞬目時に遠近の差を正しく認識することができる。また、本発明の老視用コンタクトレンズにおいては、遠方部と移行部の境界において度数が連続に変化する必要がある。度数が連続に変化しない場合、視軸移動した際に境界で、不快な像のジャンプが発生する。
【００２０】
移行部の瞼側の形状は、特に限定されないが、下記の非球面方程式にて表される非球面式にて表される形状であることが好ましい。
【００２１】
【数１】
2010224091.tif 000003
【００２２】
（ここで、ｒは曲率半径（ｍｍ）、Ａは非球面係数、ｘ、ｙは瞼側表面の座標（ｍｍ）である。）
上式において、瞼側の移行部の非球面係数Ａを０．０００５〜０．００５８の範囲内とすることで、遠方から近方への視界を移動させた際に人の目が容易に追随でき、視軸移動した時や瞬目したときの像のジャンプ、ブレが抑制されるため好ましい。瞼側の非球面係数Ａが０．０００５以下になると、非球面形状は遠方部と近方部の度数の差が少なくなり、老視用コンタクトレンズとして機能しない。一方で、０．００５８以上になると遠方部と近方部の境界での度数の変化が大きくなり、実装時に像がジャンプしてする等の不具合が生じてしまうため実用上問題があった。
【００２３】
さらに本発明の老視用コンタクトレンズにおける、非球面係数は遠視の程度によって設定することができ、初期老視患者向けには非球面係数のＡの範囲が０．０００５〜０．００４０の範囲であることがより好ましく用いられ、重度の老視患者向けには非球面係数のＡの範囲が０．００４０〜０．００５８の範囲であることが好ましい。
【００２４】
本発明の瞼側の非球面係数Ａについては、コンタクトレンズの形状から求めることができる。フォームタリサーフ（ＣＳ−３１００，株式会社ミツトヨ）を用いて、測定条件、測定長さを９．０ｍｍ、サンプリング方法をＸ軸ピッチ、測定ピッチを０．０００５ｍｍ、測定速度を０．０２ｍｍ／ｓｅｃと設定し、瞼側の形状を測定する。遠方部の近似円から曲率半径ｒをもとめ、さらに特殊計算モードにて放物線（ｙ＝ａｘ２）の曲線当てはめモードにて移行部の放物線の係数ａを求め、先に求めた曲率半径ｒからＡの値を求めることができる。
また,上記非球面式中の曲率半径ｒは、遠方部と移行部の境界において度数が連続に変化するためには遠方部の瞼側の面４の曲率半径と同じ値、あるいは遠方部の瞼側の面４の曲率半径の０．９５〜１．０５倍の範囲内とする必要がある。ｒをこの範囲内とすることにより、接合部が連続面になるため、フルオロセイン染料を用いたフィッティングパターン観察時に接合部が浮き上がり誤処方となってしまう問題がなくなり、使用時に視軸移動時の像のジャンプ（とび）が無くなる。
本発明の老視用コンタクトレンズには公知のいかなる樹脂を用いてもよいが、眼の生理機能を保つため酸素供給が必要で、乳酸が増えて浮腫が生じたり、代謝異常をきたして目への悪影響となる可能性があるため、ガス透過性のもの（ＲＧＰＬ）を用いることが好ましい。より好ましくは、コンタクトレンズ材料の酸素透過性が１３６×１０−１１ｍＬＯ２・ｃｍ２／ｃｍ３・ｓｅｃ・ｍｍＨｇ〜１６４×１０−１１ｍＬＯ２・ｃｍ２／ｃｍ３・ｓｅｃ・ｍｍＨｇであることが好ましい。たとえばフッ素含有モノマーを含有するものが好ましく用いられる。
【００２５】
また、本発明の老視用コンタクトレンズにおいて、涙液交換量を増加するため角膜側の光学部の外周にベベル３を設けることが好ましく、ベベルを角膜側に位置する内側ベベルとその外周に位置する外側ベベルの２つにより構成することが好ましい。さらに、内側ベベルの角膜側の面８を、径方向断面でレンズ内方に凸となる湾曲面とし、外側ベベルの角膜側の面９を、径方向断面でレンズ内方に凹となる湾曲面をもって周方向に延びる湾曲凹部を有することが好ましい。レンズ端部における光学部の角膜側の面７の延長曲線からの最大乖離量ｄ１が０．０５〜０．１５ｍｍであり、径方向断面でレンズ端部からレンズの中心方向に０．４ｍｍ〜０．５ｍｍ内側である位置におけるレンズ後面の光学部球面からの最大乖離量ｄ２が０．０１０ｍｍ〜０．０２５ｍｍであることがより好ましい。角膜側のベベルにおけるレンズ内方への凸形状、凹形状は公知の如何なる球状形状、非球面形状でもよいが、座標計算の容易さや加工上の容易さ、涙液交換の容易性から球状または楕円形状が好ましくもちいられる。
さらに、レンズ端部におけるレンズ後面の光学部の延長曲線からの最大乖離量ｄ１が０．０５〜０．１５ｍｍであり、径方向断面でレンズ端部からレンズの中心方向に０．４ｍｍ〜０．５ｍｍ内側である位置におけるレンズ後面の光学部球面からの最大乖離量ｄ２が０．０１５ｍｍ〜０．０２５ｍｍであることが涙液交換の点からより好ましく用いられる。
【００２６】
また、本発明のレンズの中心厚みは０．１ｍｍ〜０．２ｍｍであることが、装用感がよく好ましい。
【００２７】
なお、本発明における度数分布は多様なコンタクトレンズの度数分布を測定できる装置を用いて測定することができるが、例えばビジオニクスＶＣ−２００１にて測定することができる。測定は、ハードコンタクトレンズ・度数分布測定モードにて測定し、度数分布を測定し度数マップを得る。度数マップから、レンズ中心を通る断面での度数曲線を求め、レンズ上の座標を０．１ｍｍピッチで度数を読み取る。測定値としては、５回の測定を実施した平均値を度数分布とする。
【００２８】
本発明における遠方部は、角膜側の面も瞼側の面も球面であることから度数分布が均一であり、上記ビジオニクスにてマッピングした度数分布において０．３Ｄ／ｍｍ以内の度数変化率の領域を均一であるとし、遠方部とみなすことができる。  上記に述べたコンタクトレンズの具体的な製造方法としては、球面加工、非球面加工が可能な公知の如何なる方法でもよいが、ＮＣルーターを用いた切削磨加工など公知の方法によって有利に製造され得る。
【実施例】
【００２９】
以下に本発明について実施例などにより具体的に説明するが、本発明はそれにより何ら限定されない。なお以下の評価方法にて評価した
［度数分布の評価］
老視用コンタクトレンズをビジオニクスＶＣ−２００１にて度数分布を測定し、０．１ｍｍごとの度数を読み取る。測定は測定器の誤差を減らすため５回測定の平均値を用いて度数分布曲線を得た。遠方部の度数変化率としては、レンズ中心から２ｍｍの領域を対称に測定値から求めた度数変化率の最大値が０．３Ｄ／ｍｍ以下であれば、均一な度数分布とみなすことができ、さらに移行領域の度数変化率の最大値が６Ｄ／ｍｍ以下であれば人の目にとって適度な度数変化率であるとした。
【００３０】
［形状測定による非球面係数の算出］
老視用コンタクトレンズの表面形状をフォームタリサーフ（ＣＳ−３１００，株式会社ミツトヨ）を用いて測定した。測定条件、測定長さを９．０ｍｍ、サンプリング方法をＸ軸ピッチ、測定ピッチを０．０００５ｍｍ、測定速度を０．０２ｍｍ／ｓｅｃと設定し、瞼側の形状を測定する。遠方部の測定値から近似円を求め曲率半径ｒを求め、さらに特殊計算モードにて放物線（ｙ＝ａｘ２）の曲線当てはめモードにて移行部の放物線の係数ａを求め、先に求めた曲率半径ｒを代入しＡの値を求めることができる。
【００３１】
（実施例１）
老視用コンタクトレンズの樹脂として、１リジントリイソシアネートの中に存在する２個のイソシアネートに２ヒドロキシエチルメタクリレートを、１個のイソシアネートにＯＨ基含有変性ポリジメチルシロキサンを合成させた二重結合変性ポリジメチルシロキサン４０ｇ、トリフルオロエチルメタクリレート２５ｇとメチルメタクリレート３０ｇとトリメチロールプロパントリメタクリレート５ｇを調合し、さらに、トリフルオロエチルメタクリレートとメチルメタクリレートの重量に対して、１ｗｔ％の２、２−アゾビスイソブチロニトリルを添加して、ポリプロピレン製試験管（容量２０ｍｌ）に入れて、窒素置換後に密封した。これを５０℃の恒温水槽中に２４時間浸漬した後、１１０℃の熱風循環式加熱装置に移して２時間保持して、重合を完結させた。冷却後に、試験管からフッ素含有メタクリレート・ケイ素含有メタクリレート系共重合体（ガス透過性コンタクトレンズ材料）を取り出した。
【００３２】
作成した共重合体をボタン状に削り出しコンタクトレンズ加工機にセットして、表１に示すパラメーターを用い、移行部の非球面式として以下の式を用い、Ａ＝０．００２３、ｒ＝８．９９３７ｍｍを設定値として座標を計算しＮＣルーターに読み込ませ、コンタクトレンズを切削し、さらに表面を研磨することで老視用コンタクトレンズを作成した。
【００３３】
【数２】
2010224091.tif 000004
【００３４】
作成した老視用コンタクトレンズの移行領域のフォームタリサーフにて形状測定を行いＡの値を求めたところ０．００２２であった。表２に示すように度数分布曲線を求めた遠方部の均一性と移行部の度数変化率の最大値を求めたところ、遠方部の度数変化率の最大値は０．３Ｄ／ｍｍであり、移行部の度数変化率の最大値が１．８Ｄ／ｍｍであり老視用コンタクトレンズとして好ましい性能を有していることを示した。実施例１で得られたコンタクトレンズの度数分布を図３に示す。
【００３５】
【表１】
2010224091.tif 000005
【００３６】
【表２】
2010224091.tif 000006
【００３７】
（実施例２）
表１に示すようにレンズ中心厚み０．１０ｍｍ、遠方部の直径４．０ｍｍ、Ａ＝０．００４６、ｒ＝１１．０５００ｍｍと設定した以外は実施例１と同様にして、老視用コンタクトレンズを作成した。作成した老視用コンタクトレンズの移行領域のフォームタリサーフにて形状測定を行いＡの値を求めたところ０．００３９であった。表２に示すように度数分布曲線を求めた遠方部の均一性と移行部の度数変化率の最大値を求めたところ、遠方部の度数変化率の最大値は０．３Ｄ／ｍｍであり、移行部の度数変化率の最大値が５．４Ｄ／ｍｍであり老視用コンタクトレンズとして好ましい性能を有していることを示した。実施例２で得られたコンタクトレンズの度数分布を図４に示す。
【００３８】
（実施例３）
表１に示すようにレンズの外径を９．３０ｍｍ、レンズ中心厚み０．１５ｍｍ、角膜側のベベルで光学部に接するベベル幅を０．５２ｍｍ、遠方部の直径２．０ｍｍ、Ａ＝０．０００６、ｒ＝８．４７９２ｍｍとした以外は実施例１と同様にして、老視用コンタクトレンズを作成した。作成した老視用コンタクトレンズの移行領域のフォームタリサーフにて形状測定を行いＡの値を求めたところ０．００１４であった。表２に示すように度数分布曲線を求めた遠方部の均一性と移行部の度数変化率の最大値を求めたところ、遠方部の度数変化率の最大値は０．２Ｄ／ｍｍであり、移行部の度数変化率の最大値が０．７Ｄ／ｍｍであり老視用コンタクトレンズとして好ましい性能を有していることを示した。実施例３で得られたコンタクトレンズの度数分布を図５に示す。
【００３９】
（比較例１）
表１に示すように遠方部の直径１．００ｍｍとして、Ａ＝０．０００２、ｒ＝８．４７９２ｍｍとした以外は実施例３と同様にして、老視用コンタクトレンズを作成した。作成した老視用コンタクトレンズの移行領域のフォームタリサーフにて形状測定を行いＡの値を求めたところ０．０００２であった。表２に示すように度数分布曲線を求めた遠方部の均一性と移行部の度数変化率の最大値を求めたところ、遠方部の度数変化率の最大値は０．１Ｄ／ｍｍであり、移行部の度数変化率の最大値が０．２Ｄ／ｍｍであったが、度数の差が０．１Ｄであり、老視用コンタクトレンズとしては機能しない。比較例１で得られたコンタクトレンズの度数分布を図６に示す。
【００４０】
（比較例２）
表に示すように遠方部の直径４．５ｍｍ、Ａ＝０．００６９、ｒ＝１１．０５００ｍｍとした以外は実施例２と同様にして、老視用コンタクトレンズを作成した。作成した老視用コンタクトレンズの移行領域のフォームタリサーフにて形状測定を行いＡの値を求めたところ０．００６９であった。表２に示すように度数分布曲線を求めた遠方部の均一性と移行部の度数変化率の最大値を求めたところ、遠方部の度数変化率の最大値は０．３Ｄ／ｍｍであり、移行部の度数変化率の最大値が７．２Ｄ／ｍｍとなり、度数変化率が高く老視用コンタクトレンズとしては機能しない度数分布であった。比較例２で得られたコンタクトレンズの度数分布を図７に示す。
【符号の説明】
【００４１】
１  遠方部
２  移行部
３  ベベル
４  遠方部の瞼側面
５  移行部の瞼側の面
６  ベベルの瞼側の面
７  光学部の角膜側の面
８  内側ベベルの角膜側の面
９  外側ベベルの角膜側の面
ｄ１  レンズ端部におけるレンズ後面の光学部の延長曲線からの最大乖離量
ｄ２  径方向断面でレンズ端部からレンズの中心方向に０．４ｍｍ〜０．５ｍｍ内側である位置におけるレンズ後面の光学部球面からの最大乖離量
【図１】
2010224091.tif 000008
【図２】
2010224091.tif 000009
【図３】
2010224091.tif 000010
【図４】
2010224091.tif 000011
【図５】
2010224091.tif 000012
【図６】
2010224091.tif 000013
【図７】
2010224091.tif 000014